(57)【要約】【課題】  斬新な構造のホログラフィック画像定位包装膜を提供することであり、印刷原理と結合させ、硬化材料を塗布し、縞模様を加圧成型し、硬化処理をした後、蒸着を行なう、又は画像を印刷した後に蒸着を行なうことによって、ホログラフィック画像定位包装膜を形成する。【解決手段】  基材１０の指定位置に定位ホログラフィック成型硬化層１１を有し、この定位ホログラフィック成型硬化層１１上に蒸着層１２を形成する。また、定位ホログラフィック成型硬化層１１の指定エリア外に、図案印刷層を設けることができる。【選択図】        図１
2005153344.tif 000002
【特許請求の範囲】
【請求項１】
基材の指定位置に定位ホログラフィック成型硬化層を有し、この定位ホログラフィック成型硬化層上に蒸着層を形成していることを特徴とするホログラフィック画像定位包装膜。
【請求項２】
請求項１記載のホログラフィック画像定位包装膜において、前記定位ホログラフィック成型硬化層の指定エリア外に、図案印刷層を設けていることを特徴とするホログラフィック画像定位包装膜。
【請求項３】
請求項１及び２のいずれか１項に記載のホログラフィック画像定位包装膜において、前記基材にプラスチック膜材料又は紙材料を用いることを特徴とするホログラフィック画像定位包装膜。
【発明の詳細な説明】
【技術分野】
【０００１】
本発明は、偽造防止を目的とした印刷包装技術に係り、更に詳細には、ホログラフィック画像定位包装膜に関する。
【背景技術】
【０００２】
例えば、特許文献１等に記載されているように、セキュリティ部品においては、ホログラフィック技術が使用されている。周知のとおり、既存のホログラフィック偽造防止包装膜は、基材に対しニッケル膜を用いて成型、加圧、加熱を行なった後、アルミニウムの真空スプレーにより電気メッキ膜を形成して、ホログラフィック画像効果を得るもの、又は、基材に対し、アルミニウムの真空スプレーにより電気メッキ膜を形成し、更に、ニッケル膜を用いて成型、加圧、加熱を行なうことによって、ホログラフィック画像効果を得るものがある。
【０００３】
【特許文献１】特表２００３−５２０９８６号公報の段落（０００１）〜（０００６）
【発明の開示】
【発明が解決しようとする課題】
【０００４】
以上の方法を用いた場合、ホログラフィック画像のポジショニングが難しく、生産効率が低く、プロセスが複雑で、速度が遅く、コストが高いという問題がある。
本発明はかかる事情に鑑みてなされたもので、斬新な構造のホログラフィック画像定位包装膜を提供することであり、印刷原理と結合させ、硬化材料を塗布し、縞模様を加圧成型し、硬化処理をした後、蒸着を行なう、又は画像を印刷した後に蒸着を行なうことによって、ホログラフィック画像定位包装膜を形成することを目的とする。
【課題を解決するための手段】
【０００５】
前記目的に沿う請求項１記載のホログラフィック画像定位包装膜は、基材の指定位置に定位ホログラフィック成型硬化層を有し、この定位ホログラフィック成型硬化層上に蒸着層を形成している。
【０００６】
また、請求項２記載のホログラフィック画像定位包装膜は、請求項１記載のホログラフィック画像定位包装膜において、前記定位ホログラフィック成型硬化層の指定エリア外に、図案印刷層を設けている。
【０００７】
そして、請求項３記載のホログラフィック画像定位包装膜は、請求項１及び２記載のホログラフィック画像定位包装膜において、前記基材にプラスチック膜材料又は紙材料を用いている。
【発明の効果】
【０００８】
本発明のホログラフィック画像定位包装膜は、前記した既存の技術と比較すると、現在使用されている加熱加圧方式と異なり、高圧処理及び加熱工程を省き、硬化方式により直接加圧印刷することが可能となるため、プロセス全体の進行が速く、構造がシンプルかつ斬新で、原材料が節減できる。これによって、印刷コストが削減でき、生産効率が高く、ポジショニングが正確で、製品の外観が美しく、ホログラフィック画像の局部印刷だけでなく、ホログラフィック画像の全体印刷にも適している。
また、本発明のホログラフィック画像定位包装膜は、応用範囲が広く、広告宣伝、製品の包装、美術工芸品、贈り物、年賀状、クリスマスカード、画帖、有価証券、プラスチック製品、紙製品、証書、手形などの書類、印刷表面の包装、偽造防止などの用途に用いることができる。
【発明を実施するための最良の形態】
【０００９】
続いて、添付した図面を参照しつつ、本発明を具体化した実施の形態について説明する。ここに、図１は本発明の第１の実施の形態に係るホログラフィック画像定位包装膜を適用した紙製品の断面図、図２は本発明の第２の実施の形態に係るホログラフィック画像定位包装膜を適用したプラスチック製品の断面図である。
【００１０】
図１に、本発明の第１の実施の形態に係るホログラフィック画像定位包装膜を適用した紙製品の構造図を示すが、図中の１０は基材、１１は定位ホログラフィック成型硬化層、１２は蒸着層を示す。
印刷技術の原理と結合させて、まず、基材１０の一例である紙材料の指定位置に対して紫外線硬化塗料もしくは電子線硬化塗料を、例えば、０．０５μｍ〜５μｍの厚さで塗布し、輪転機を使って紫外線硬化塗料もしくは電子線硬化塗料に対して直接縞模様加圧成型と硬化処理を行ない、定位ホログラフィック成型硬化層１１を形成する。この後、反射材料などの金属材料を蒸着して、蒸着層１２を形成し、真空状態で製品製造を行なう。
【００１１】
図２は、本発明の第２の実施の形態に係るホログラフィック画像定位包装膜を適用したプラスチック製品を示す。基材１４の一例である透明なプラスチック板の指定位置に、定位ホログラフィック成型硬化層１５が形成され、その指定エリア以外に図案印刷層１６及び１７が設けられている。この理由は、このプラスチック製品においては、基材１４が透明なプラスチックであるため、画像が基材１４の裏側から透けて見えることを考慮し、定位ホログラフィック成型硬化層１５の指定エリア外に図案印刷層１６及び１７を設けている。
【００１２】
印刷技術の原理と結合させ、まず、基材１４のプラスチック板の指定位置に対し、紫外線硬化塗料もしくは電子線硬化塗料を０．０５μｍ〜５μｍの厚さで塗布し、輪転機を使って紫外線硬化塗料もしくは電子線硬化塗料に対して直接縞模様加圧成型と硬化処理を行ない、定位ホログラフィック成型硬化層１５を形成し、定位ホログラフィック成型硬化層１５の指定エリア外に図案印刷層１６及び１７を印刷した後、反射材料などの金属材料を蒸着して、蒸着層１８を形成し、真空状態で製品製造を行なう。
【実施例】
【００１３】
次に、本発明のホログラフィック画像定位包装膜を更に詳細に説明した実施例について説明する。
実施例１
図１に示すように、常温下で基材の一例である紙材料の表面の指定位置に、紫外線硬化塗料を２μｍの厚さで塗布し、輪転機を使って紫外線硬化塗料に対して直接縞模様加圧成型と硬化処理を行なってから、アルミニウムなどの反射材料を蒸着し、真空状態で製品製造を行なう。
即ち、（１）基材の表面に紫外線硬化塗料を所定の厚みで塗布し、（２）輪転機を用いて紫外線硬化塗料に対して直接縞模様加圧成型と硬化処理を行い、次に、（３）反射材料を蒸着して製品が完成する。
【００１４】
実施例２
証書カードを保護するためにホログラフィック画像定位包装膜を使う。ここで用いる基材は、透明プラスチック膜材料であり、まず塗布方式でプラスチック膜上の指定位置に電子線硬化塗料を０．５μｍの厚さで塗布し、輪転機を使って電子線硬化塗料に対して直接縞模様加圧成型と硬化処理を行ない、定位ホログラフィック成型硬化層を形成し、定位ホログラフィック成型硬化層の指定エリアの外に図案を印刷した後、（図２参照）、アルミニウムなどの反射材料を蒸着し、真空状態で製品製造を行なう。
即ち、（１）基材の表面に電子線硬化塗料を所定の厚みで塗布し、（２）輪転機を用いて電子線硬化塗料に対して直接縞模様加圧成型と硬化処理を行い、次に、（３）定位ホログラフィック成型硬化層の指定エリアの外に図案を印刷した後、（４）反射材料を蒸着して製品が完成する。
【産業上の利用可能性】
【００１５】
本発明のホログラフィック画像定位包装膜は、商品券等の印刷物、クレジットカード、キャッシュカード等の偽造の防止に最適に適用可能である。
【図面の簡単な説明】
【００１６】
【図１】本発明の第１の実施の形態に係るホログラフィック画像定位包装膜を適用した紙製品の構造図である。
【図２】本発明の第２の実施の形態に係るホログラフィック画像定位包装膜を適用したプラスチック製品の構造図である。
【符号の説明】
【００１７】
１０：基材、１１：定位ホログラフィック成型硬化層、１２：蒸着層、１４：基材、１５：定位ホログラフィック成型硬化層、１６、１７：図案印刷層、１８：蒸着層
【図１】
2005153344.tif 000003
【図２】
2005153344.tif 000004